(57)【要約】【課題】操作が容易で、確実な紐部材の係止が可能なコードロックを提供する。【解決手段】前面に開口部を有する本体部１２と、本体部１２に前後方向に移動可能に収納される押圧部１４とを備え、本体部１２は、裏壁２０と、裏壁２０の周囲に上壁２２、底壁２４、左側壁２６及び右側壁２８を有し、底壁２４に一対の紐１００が通る底壁通し孔３８を、又左及び右側壁２６、２８のそれぞれに紐１００が通る左及び右壁通し孔３６、３８を形成し、押圧部１４は、前面に押圧面を有し、下部に一対の紐１００を通す底面通し口５２と、左右の側板にそれぞれ左及び右側通し口５６、５８を形成し、内部に左及び右側通し口５６、５８と底面通し口５２との間で紐１００を案内する案内板５０を設け、更に、本体部１２と押圧部１４の間に、押圧部１４を本体部１２の外方に付勢するコイルばね１６を設けてコードロック１０を構成した。【選択図】図１
2013000270.tif 000002
【特許請求の範囲】
【請求項１】
前面に開口部を有する本体部と、前記本体部内に前後方向に移動可能に収納される押圧部と、を備え、
前記本体部は、前記本体部の後方に設けられた裏壁と、前記裏壁の周囲に設けられた上壁、底壁、左側壁及び右側壁とを有し、前記下壁に一対の紐部材が通る底壁通し孔を、又前記左側壁及び右側壁のそれぞれに前記紐部材が通る左及び右壁通し孔を形成し、
前記押圧部は、前面に押圧面を有し、下部に一対の前記紐部材を通す底面通し口と、左右の側板にそれぞれ左側通し口及び右側通し口を形成し、内部に前記左側通し口及び右側通し口と前記底面通し口との間で前記紐部材を案内する案内部材を設け、
更に、前記本体部と前記押圧部の間に、前記押圧部を前記本体部の前方に付勢する付勢手段を設けたことを特徴とするコードロック。
【請求項２】
前記押圧部は、前記左及び右側通し口に、前記左及び右壁通し孔との間で前記紐部材を挟持する突条部を備えたことを特徴とする請求項１に記載のコードロック。
【請求項３】
前記上壁に吊下具を設けたことを特徴とする請求項１又は２に記載のコードロック。
【請求項４】
前記付勢手段は、円錐状コイルばねであること特徴とする請求項１〜３のいずれか１項に記載のコードロック。
【発明の詳細な説明】
【技術分野】
【０００１】
本発明は、衣類の裾やバッグの口部等に設けられ、これらの裾や口部に通されている紐部材の止め位置を変更して、裾等の開口部を絞ったり広げたりするコードロックに関する。
【背景技術】
【０００２】
コードロックは、本体部内部に押圧部を備え、本体部と押圧部で紐部材を挟み紐部材の移動を規制させるとともに押圧部を押圧して紐部材の係止を解除する器具であり、例えば、防風着の裾周りに通した紐部材に設け、紐部材を締めたり、緩めたりして裾周りの広がりを調整する。
【０００３】
従来、有底筒状に形成した本体部に押圧部を上下方向に移動可能に収納するとともにばね部材により押圧部を上方に付勢させ、本体部の底壁に設けられた通し孔から通した紐部材を、左右の側壁に設けられた通し孔から引き出し、押圧部を上方から押し下げて紐部材の締結を操作するコードロックが知られている（例えば、特許文献１参照。）。
【０００４】
又、本体部の上下に紐部材の通し孔を設け、本体部の前面に押圧部を設けて操作するようにしたコードロックが知られている。
【先行技術文献】
【特許文献】
【０００５】
【特許文献１】特開２０００−７００１４号公報
【発明の概要】
【発明が解決しようとする課題】
【０００６】
しかしながら上記例のコードロックは、上面に押圧部が設けられていることから、操作性がよくなく、扱いにくい面を有していた。又、押圧部の移動方向が上下方向であることから、紐部材を押さえる保持力が不足する点があった。又上下に通し孔を設けたコードロックの場合には、紐部材でコードロックが垂れ下がると、コードロックが大きく振れたり、位置が安定せず操作しにくいことが考えられている。
【０００７】
本発明は、操作が容易で、紐部材を強固に係止できるコードロックを提供することを目的とする。
【課題を解決するための手段】
【０００８】
本発明は、上記課題を解決するため、コードロックを次のように構成した。
【０００９】
前面に開口部を有する本体部と、本体部内に前後方向に移動可能に収納される押圧部と、を備え、本体部は、裏壁と、裏壁の周囲に上壁、底壁、左壁及び右壁を有し、底壁に一対の紐部材が通る底壁通し孔を、又左及び右壁のそれぞれに紐部材が通る左及び右壁通し孔を形成し、押圧部は、前面に押圧面を有し、下部に一対の紐部材を通す底面通し口と、左右の側板にそれぞれ左及び右側通し口を形成し、内部に左及び右側通し口と底面通し口との間で紐部材を案内する案内部材を設け、更に、本体部と押圧部の間に、押圧部を本体部の外方に付勢する付勢手段を設けてコードロックを構成した。
【発明の効果】
【００１０】
本発明によれば、操作が容易で、確実な紐部材の係止が可能となる。
【図面の簡単な説明】
【００１１】
【図１】本発明の一実施形態にかかるコードロックの使用状態を示す斜視図。
【図２】同コードロックを示す分解斜視図。
【図３】同コードロックを示す正面図。
【図４】同コードロックを示す平面図。
【図５】同コードロックを示す左側面図。
【図６】同コードロックを示す底面図。
【図７】同コードロックの本体部を示す正面図。
【図８】同コードロックを示す断面図。
【図９】同コードロックの押圧部を示す正面図。
【図１０】同押圧部を示す左側面図。
【図１１】同押圧部を示す底面図。
【図１２】同押圧部を示す断面図。
【発明を実施するための形態】
【００１２】
本発明の一実施形態にかかるコードロックについて説明する。図１〜図８は、本発明の一実施形態にかかるコードロックを示す図である。
【００１３】
図１に、コードロック１０を衣類１０２に用いた例を示す。コードロック１０は、本体部１２内に押圧部１４を移動自在に備え、吊下具１８に通した保持帯１９により衣類１０２の裾部１０４に取り付けられている。裾部１０４には、袋状部１０６が裾部１０４に沿って形成してあり、袋状部１０６内に通した紐１００がコードロック１０内に通されている。コードロック１０は、保持帯１９により袋状部１０６とほぼ同じ高さ位置に取り付けられている。
【００１４】
図２に、コードロック１０の分解斜視図を示す。図２に示すようにコードロック１０は、本体部１２と、本体部１２内にコイルばね（付勢手段）１６とともに収納された押圧部１４とを備えている。以下、コードロック１０の吊下具１８が設けられている側をコードロック１０の上方（図３参照）とし、押圧部１４が露出している側を前方（図４参照）とし、基本的にそれに従いコードロック１０の前後左右、及び上下を定める。
【００１５】
本体部１２は、上部に吊下具１８を有し、図２に示すように裏壁２０と、裏壁２０の周囲に上壁２２、底壁２４、左側壁２６、右側壁２８等を備え、前面に開放部３０が設けられている。上壁２２と底壁２４と左側壁２６と右側壁２８は、裏壁２０に対してほぼ垂直に立ち上げられ、これらにより開放部３０を形成している。左側壁２６と右側壁２８の横方向の間隔は、上方より下方のほうが若干狭く形成されている。
【００１６】
吊下具１８は、図３に示すように上方に延び、内部に長円形の孔部３２が形成されている。吊下具１８は、上壁２２と一体に形成されている。上壁２２には、図４にも示すように案内溝２３が設けられている。案内溝２３は、裏壁２０から上壁２２の前端縁の手前まで、前後方向に形成してある。裏壁２０は、図５に示すように全体が前方にわずかに湾曲し、裏壁２０の湾曲に連続して吊下具１８の後面が形成されている。
【００１７】
左側壁２６と右側壁２８は、それぞれ上壁２２の左右に上壁２２に連続して形成されており、左側壁２６には左側壁通し孔３４（図５参照）、右側壁２８には右側壁通し孔３６（図２参照）が設けられている。左側壁通し孔３４と右側壁通し孔３６は、左側壁２６と右側壁２８をそれぞれ貫通し、前後方向に長く、かつ左右対称に形成してある。左側壁２６及び右側壁２８のそれぞれの下端は、底壁２４に連続している。
【００１８】
底壁２４は、図７に示すように上壁２２とほぼ平行に形成してあり、図２、図６に示すように底壁通し孔３８が設けられている。底壁通し孔３８は、横長で、少なくとも紐（紐部材）１００（図２参照）が横方向に２本並んで通る形状となっている。
【００１９】
押圧部１４を、図９から図１２に示す。押圧部１４は、図９に示すように前面に押圧板４０を有し、全体が本体部１２の開放部３０に対応し、本体部１２の内部に収納可能に形成してある。押圧部１４は、図１０に示すように裏面に裏板４２を有し、上部に押圧板４０と裏板４２とを連結する上板４４（図１２参照）、左右側面に押圧板４０と裏板４２とを連結する左側板４６と右側板４８を有している。裏板４２には、中央上下端に、爪部材４３が設けられている。爪部材４３は、後方が低くなるように、縦断面がほぼ三角形状に形成され、更に上部の爪部材４３は本体部１２の案内溝２３に対応して形成されている。
【００２０】
又、裏板４２は、図２及び図１１に示すように左右に突条部４７が形成されている。突条部４７は、断面四角形で、裏板４２の左右の縁に沿って、裏板４２の前面側に、後述する案内板５０に当接するまで設けられている。又、少なくとも突条部４７の前面側で、押圧部１４の内側に位置する端縁５１は、角が立った状態に形成されている。
【００２１】
押圧部１４の左側面には、図１０に示すように押圧板４０と左側板４６と突条部４７で区画された左側通し口５６が形成されている。又、押圧部１４の右側面にも、押圧部１４の左側面と同様、右側通し口５８（図１１参照）が左側通し口５６と対称に形成されている。
【００２２】
押圧部１４の内部には、図１２に示すように案内板５０が設けられている。図１２は、図１１のＦ１２−Ｆ１２線断面図である。案内板５０は、押圧部１４の下部中央から上に延び、押圧部１４のほぼ中程で左右に分岐し、それぞれの端部が左側板４６と右側板４８に接続している。これにより、押圧部１４の下面には、案内板５０で区画された左底面通し口５２と右底面通し口５４が形成され、かつ左底面通し口５２と右底面通し口５４がそれぞれ左側通し口５６と右側通し口５８に連通されている。
【００２３】
コイルばね１６は、図２に示すように円錐状コイルばねであり、図８に示すように押圧部１４をコイルばね１６とともに本体部１２に収納すると、押圧部１４を本体部１２の内部から前進方向に付勢する。図８は、図３のＦ８−Ｆ８線断面図である。これにより押圧部１４は、コイルばね１６により常に所定の押圧力で付勢された状態で、上部の爪部材４３が案内溝２３の前端に当接し、又、下部の爪部材４３が底壁通し孔３８の前部縁部に当接した位置に配置される。更に、左右の突条部４７とそれぞれの左側通し口５６と右側通し口５８との間に所定の間隙が形成されている。
【００２４】
次に、コードロック１０の作用、効果について説明する。図１に、コードロック１０を衣類１０２の裾部１０４に設けた使用例を示す。上述したように裾部１０４には、袋状部１０６が裾部１０４に沿って形成してあり、袋状部１０６内に紐１００が通してある。コードロック１０は、吊下具１８に通した保持帯１９により衣類１０２に、袋状部１０６とほぼ同じ高さ位置に取り付けられている。
【００２５】
紐１００は、環状に形成してあり、袋状部１０６の右開口端１０８から取り出された紐１００が、コードロック１０の右側壁通し孔３６から本体部１２内に挿入され、底壁通し孔３８から取り出されるとともに、紐１００を反転させて再度底壁通し孔３８内に挿入し、左側壁通し孔３４から外部に引き出し、袋状部１０６の左開口端１１０から袋状部１０６内に送り入れている。
【００２６】
更に詳しくは、紐１００は、右側面において、右側壁通し孔３６と右側通し口５６の間を通り、案内板５０に案内されて右底面通し口５４から底壁通し孔３８を通って、コードロック１０の外部に取り出されている。そして反転された紐１００は、底壁通し孔３８と左底面通し口５４を通り、案内板５０の案内により左側通し口５６と左側壁通し孔３４の間を通って、コードロック１０の左方に取り出されている。
【００２７】
このとき、押圧部１４はコイルばね１６で付勢されているので、右側壁通し孔３６と右側通し口５６の間及び左側通し口５６と左側壁通し孔３４の間で紐１００は、突条部４７と右側壁通し孔３６及び左側壁通し孔３４で挟まれ、移動が係止されている。突条部４７の内側の端縁５１は、角が立っているので、強固に紐１００を挟持する。
【００２８】
そして、例えば親指と人差し指の間でコードロック１０をつまみ、押圧部１４の押圧板４０を本体部１２に対して押圧する。すると、押圧部１４が後退し、右側壁通し孔３６と右側通し口５６（突条部４７）の間及び左側通し口５６と左側壁通し孔３４（突条部４７）の間隔が開き、紐１００の係止が解除される。この状態で、コードロック１０の下方に延びた紐１００を下方に引いて裾部１０４を絞ったり、あるいは紐１００を左右に引いて裾部１０４を開く。
【００２９】
このように、コードロック１０によれば、親指と人差し指の間、あるいはコードロック１０の裏面を体に押し付けた状態で押圧部１４を押す等して紐１００を容易に操作することができる。コードロック１０は、内部で紐１００を屈曲させ、保持帯１９により衣類１０２の近傍に取り付けられているので、衣類１０２との密着性が良好になり、手に取りやすく、押圧部１４を容易に操作できる。又、保持帯１９が短いので、コードロック１０が大きく振れることがない。
【００３０】
コードロック１０は、押圧部１４に突条部４７が設けられ、紐１００を突条部４７の端縁５１の角で挟むことから、紐１００を強固に保持できる。又、コードロック１０から左右に引き出された紐１００を左右に引くと、突条部４７がコードロック１０の左右外側に引き出されるように力が作用し、突条部４７と右側壁通し孔３６や左側壁通し孔３４との食い込みが強く作用して、容易に緩まない。
【００３１】
更に、コードロック１０から下方に延びている紐１００を下方に引くと、突条部４７がコードロック１０の内側斜め下方に引き込まれるように力が作用し、突条部４７と右側壁通し孔３６や左側壁通し孔３４との食い込みが弱まり、紐１００を下方に引いて裾部１０４を容易に絞れるように構成してもよい。
【００３２】
又、紐１００を引き下げる操作方向と逆方向に吊下具１８が設けられているため、操作性を高くできる。コイルばね１６が円錐状であることから、コイルばね１６を圧縮したとき、ばね材が重ならずコードロック１０を薄くできる。又、押圧部１４を本体部１２内部で適度に傾動させることができる。
【産業上の利用可能性】
【００３３】
本発明は、操作が容易で、紐部材を確実に係止できるコードロックを提供できる。
【符号の説明】
【００３４】
１０…コードロック、１２…本体部、１４…押圧部、１６…コイルばね、２０…裏壁、２２…上壁、２４…底壁、２６…左側壁、２８…右側壁、３４…左側壁通し孔、３６…右側壁通し孔、３８…底壁通し孔、４０…押圧板、４２…裏板、４３…爪部材、４４…上板、４６…左側板、４７…突条部、４８…右側板、５０…案内板、５１…端縁、５２…左底面通し口、５４…右底面通し口、５６…左側通し口、５８…右側通し口、１００…紐、１０２…衣類、１０４…裾部、１０６…袋状部。
【図１】
2013000270.tif 000003
【図２】
2013000270.tif 000004
【図３】
2013000270.tif 000005
【図４】
2013000270.tif 000006
【図５】
2013000270.tif 000007
【図６】
2013000270.tif 000008
【図７】
2013000270.tif 000009
【図８】
2013000270.tif 000010
【図９】
2013000270.tif 000011
【図１０】
2013000270.tif 000012
【図１１】
2013000270.tif 000013
【図１２】
2013000270.tif 000014